(57)【要約】      （修正有）【課題】超高スループット（ＶＨＴ）無線システムの送信フレームにおける変調−符号化スキーム（ＭＣＳ）セット・フィールドを設計するための技術を提供する。【解決手段】対応する異なる数の空間ストリーム（ＳＳ）を受信するために、装置によってサポートされている複数のＭＣＳに関する第１のインジケーションを備えるフレームを装置において構築し、フレームを送信する。受信機ＭＣＳマップ４００は、ＶＨＴサポートＭＣＳフィールドの一部であり、受信機ＭＣＳマップ４００を送信している局において受信された空間ストリームの各番号のためにサポートされている最大ＭＣＳを指定する。【選択図】図４
2015008504.tif 000002
【特許請求の範囲】
【請求項１】
無線通信のための方法であって、
対応する異なる数の空間ストリーム（ＳＳ）を受信するために、装置によってサポートされている複数の変調−符号化スキーム（ＭＣＳ）に関する第１のインジケーションを備えるフレームを、前記装置において構築することと、
前記フレームを送信することと、
を備える方法。
【請求項２】
前記フレームはさらに、受信のために前記装置によってサポートされている最高のデータ・レートに関する第２のインジケーションを備える、請求項１に記載の方法。
【請求項３】
前記フレームはさらに、前記装置がその送信ＭＣＳ能力を通知するか否かを指定するフィールド、対応する異なる数のＳＳを送信するために前記装置によってサポートされている複数のＭＣＳに関する第３のインジケーション、または、前記装置による送信のためにサポートされている最高のデータ・レートに関する第４のインジケーション、のうちの少なくとも１つを備える、請求項２に記載の方法。
【請求項４】
前記第１のインジケーションは、前記ＭＣＳのうちの最高のＭＣＳを示す値を備える、請求項１に記載の方法。
【請求項５】
前記値は、複数の帯域幅に関連付けられる、請求項４に記載の方法。
【請求項６】
前記第１のインジケーションは、複数の帯域幅のおのおのの値を備え、
前記値は、その帯域幅について、前記装置による受信のためにサポートされているＭＣＳのうちの最高のＭＣＳを示す、請求項１に記載の方法。
【請求項７】
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、請求項６に記載の方法。
【請求項８】
前記第２のインジケーションは、受信のために前記装置によってサポートされている最高のデータ・レートを、１秒あたりのメガ・ビットの単位で示すバイナリ値を備える、請求項２に記載の方法。
【請求項９】
前記第３のインジケーションは、前記装置による送信のためにサポートされているＭＣＳのうちの最高のＭＣＳを示す値を備える、請求項３に記載の方法。
【請求項１０】
前記値は、複数の帯域幅に関連付けられる、請求項９に記載の方法。
【請求項１１】
前記第３のインジケーションは、複数の帯域幅のおのおのの値を備え、
前記値は、その帯域幅について、前記装置による送信のためにサポートされているＭＣＳのうちの最高のＭＣＳを示す、請求項３に記載の方法。
【請求項１２】
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、請求項１１に記載の方法。
【請求項１３】
前記第４のインジケーションは、前記装置によって送信のためにサポートされている最高のデータ・レートを、１秒あたりのメガ・ビットの単位で示すバイナリ値を備える、請求項３に記載の方法。
【請求項１４】
前記フレームは、無線通信規格のＩＥＥＥ  ８０２．１１体系にしたがって送信される、請求項１に記載の方法。
【請求項１５】
前記第１のインジケーションが特定の値を備えている場合、前記第１のインジケーションは、対応する数のＳＳを受信するためのサポートを示さない、請求項１に記載の方法。
【請求項１６】
前記第１のインジケーションは、前記対応する異なる数のＳＳを受信するために、前記装置によってサポートされているＭＣＳのセットを示す値を備える、請求項１に記載の方法。
【請求項１７】
前記第３のインジケーションは、前記対応する異なる数のＳＳを送信するために、前記装置によってサポートされているＭＣＳのセットを示す値を備える、請求項３に記載の方法。
【請求項１８】
無線通信のための装置であって、
対応する異なる数の空間ストリーム（ＳＳ）を受信するために、前記装置によってサポートされている複数の変調−符号化スキーム（ＭＣＳ）に関する第１のインジケーションを備えるフレームを構築する手段と、
前記フレームを送信する手段と、
を備える装置。
【請求項１９】
前記フレームはさらに、受信のために前記装置によってサポートされている最高のデータ・レートに関する第２のインジケーションを備える、請求項１８に記載の装置。
【請求項２０】
前記フレームはさらに、前記装置がその送信ＭＣＳ能力を通知するか否かを指定するフィールド、対応する異なる数のＳＳを送信するために前記装置によってサポートされている複数のＭＣＳに関する第３のインジケーション、または、前記装置による送信のためにサポートされている最高のデータ・レートに関する第４のインジケーション、のうちの少なくとも１つを備える、請求項１９に記載の装置。
【請求項２１】
前記第１のインジケーションは、前記ＭＣＳのうちの最高のＭＣＳを示す値を備える、請求項１８に記載の装置。
【請求項２２】
前記値は、複数の帯域幅に関連付けられる、請求項２１に記載の装置。
【請求項２３】
前記第１のインジケーションは、複数の帯域幅のおのおのの値を備え、
前記値は、その帯域幅について、前記装置による受信のためにサポートされているＭＣＳのうちの最高のＭＣＳを示す、請求項１８に記載の装置。
【請求項２４】
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、請求項２３に記載の装置。
【請求項２５】
前記第２のインジケーションは、受信のために前記装置によってサポートされている最高のデータ・レートを、１秒あたりのメガ・ビットの単位で示すバイナリ値を備える、請求項１９に記載の装置。
【請求項２６】
前記第３のインジケーションは、前記装置による送信のためにサポートされているＭＣＳのうちの最高のＭＣＳを示す値を備える、請求項２０に記載の装置。
【請求項２７】
前記値は、複数の帯域幅に関連付けられる、請求項２６に記載の装置。
【請求項２８】
前記第３のインジケーションは、複数の帯域幅のおのおのの値を備え、
前記値は、その帯域幅について、前記装置による送信のためにサポートされているＭＣＳのうちの最高のＭＣＳを示す、請求項２０に記載の装置。
【請求項２９】
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、請求項２８に記載の装置。
【請求項３０】
前記第４のインジケーションは、前記装置によって送信のためにサポートされている最高のデータ・レートを、１秒あたりのメガ・ビットの単位で示すバイナリ値を備える、請求項２０に記載の装置。
【請求項３１】
前記フレームは、無線通信規格のＩＥＥＥ  ８０２．１１体系にしたがって送信される、請求項１８に記載の装置。
【請求項３２】
前記第１のインジケーションが特定の値を備えている場合、前記第１のインジケーションは、対応する数のＳＳを受信するためのサポートを示さない、請求項１８に記載の装置。
【請求項３３】
前記第１のインジケーションは、前記対応する異なる数のＳＳを受信するために、前記装置によってサポートされているＭＣＳのセットを示す値を備える、請求項１８に記載の装置。
【請求項３４】
前記第３のインジケーションは、前記対応する異なる数のＳＳを送信するために、前記装置によってサポートされているＭＣＳのセットを示す値を備える、請求項２０に記載の装置。
【請求項３５】
無線通信のための装置であって、
対応する異なる数の空間ストリーム（ＳＳ）を受信するために、前記装置によってサポートされている複数の変調−符号化スキーム（ＭＣＳ）に関する第１のインジケーションを備えるフレームを構築するように構成された回路と、
前記フレームを送信するように構成された送信機と、
を備える装置。
【請求項３６】
無線通信のために実行可能な命令群を含むコンピュータ読取可能な媒体であって、
前記実行可能な命令群は、
対応する異なる数の空間ストリーム（ＳＳ）を受信するために、装置によってサポートされている複数の変調−符号化スキーム（ＭＣＳ）に関する第１のインジケーションを備えるフレームを、前記装置において構築することと、
前記フレームを送信することと、
のための命令群を備える、コンピュータ読取可能な媒体。
【請求項３７】
無線通信のための方法であって、
対応する異なる数の空間ストリーム（ＳＳ）を受信するために、装置によってサポートされている複数の変調−符号化スキーム（ＭＣＳ）に関する第１のインジケーションを備えるフレームを、前記装置において構築することと、
前記フレームを送信することとを備え、
前記第１のインジケーションは、複数の帯域幅のおのおのの値を備え、
前記値は、その帯域幅について、前記装置による受信のためにサポートされているＭＣＳのうちの最高のＭＣＳを示す、方法。
【請求項３８】
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、請求項３７に記載の方法。
【請求項３９】
前記フレームはさらに、前記装置がその送信ＭＣＳ能力を通知するか否かを指定するフィールド、および、対応する異なる数のＳＳを送信するために前記装置によってサポートされている複数のＭＣＳに関する第２のインジケーションを備える、請求項３７に記載の方法。
【請求項４０】
前記第２のインジケーションは、複数の帯域幅のおのおのの値を備え、
前記値は、その帯域幅について、前記装置による送信のためにサポートされているＭＣＳのうちの最高のＭＣＳを示す、請求項３９に記載の方法。
【請求項４１】
前記フレームは、無線通信規格のＩＥＥＥ  ８０２．１１体系にしたがって送信される、請求項３７に記載の方法。
【請求項４２】
前記第１のインジケーションが特定の値を備えている場合、前記第１のインジケーションは、対応する数のＳＳを受信するためのサポートを示さない、請求項３７に記載の方法。
【請求項４３】
無線通信のための装置であって、
対応する異なる数の空間ストリーム（ＳＳ）を受信するために、前記装置によってサポートされている複数の変調−符号化スキーム（ＭＣＳ）に関する第１のインジケーションを備えるフレームを構築する手段と、
前記フレームを送信する手段とを備え、
前記第１のインジケーションは、複数の帯域幅のおのおのの値を備え、
前記値は、その帯域幅について、前記装置による受信のためにサポートされているＭＣＳのうちの最高のＭＣＳを示す、装置。
【請求項４４】
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、請求項４３に記載の装置。
【請求項４５】
前記フレームはさらに、前記装置がその送信ＭＣＳ能力を通知するか否かを指定するフィールド、および、対応する異なる数のＳＳを送信するために前記装置によってサポートされている複数のＭＣＳに関する第２のインジケーションを備える、請求項４３に記載の装置。
【請求項４６】
前記第２のインジケーションは、複数の帯域幅のおのおのの値を備え、
前記値は、その帯域幅について、前記装置による送信のためにサポートされているＭＣＳのうちの最高のＭＣＳを示す、請求項４５に記載の装置。
【請求項４７】
前記フレームは、無線通信規格のＩＥＥＥ  ８０２．１１体系にしたがって送信される、請求項４３に記載の装置。
【請求項４８】
前記第１のインジケーションが特定の値を備えている場合、前記第１のインジケーションは、対応する数のＳＳを受信するためのサポートを示さない、請求項４３に記載の装置。
【請求項４９】
無線通信のための装置であって、
対応する異なる数の空間ストリーム（ＳＳ）を受信するために、前記装置によってサポートされている複数の変調−符号化スキーム（ＭＣＳ）に関する第１のインジケーションを備えるフレームを構築するように構成された回路と、
前記フレームを送信するように構成された送信機とを備え、
前記第１のインジケーションは、複数の帯域幅のおのおのの値を備え、
前記値は、その帯域幅について、前記装置による受信のためにサポートされているＭＣＳのうちの最高のＭＣＳを示す、装置。
【請求項５０】
無線通信のために実行可能な命令群を含むコンピュータ読取可能な媒体であって、
前記実行可能な命令群は、
対応する異なる数の空間ストリーム（ＳＳ）を受信するために、装置によってサポートされている複数の変調−符号化スキーム（ＭＣＳ）に関する第１のインジケーションを備えるフレームを、前記装置において構築することと、
前記フレームを送信することと
のための命令群を備え、
前記第１のインジケーションは、複数の帯域幅のおのおのの値を備え、
前記値は、その帯域幅について、前記装置による受信のためにサポートされているＭＣＳのうちの最高のＭＣＳを示す、コンピュータ読取可能な媒体。
【請求項５１】
無線通信のための方法であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することと、
を備える方法。
【請求項５２】
前記レートにしたがって、別の装置へデータを送信すること、をさらに備える請求項５１に記載の方法。
【請求項５３】
前記フレームはさらに、受信のために別の装置によってサポートされている最高のデータ・レートに関する第２のインジケーションを備える、請求項５１に記載の方法。
【請求項５４】
前記フレームはさらに、別の装置がその送信ＭＣＳ能力を通知するか否かを指定するフィールド、対応する異なる数のＳＳを送信するために別の装置によってサポートされている複数のＭＣＳに関する第３のインジケーション、または、別の装置による送信のためにサポートされている最高のデータ・レートに関する第４のインジケーション、のうちの少なくとも１つを備える、請求項５３に記載の方法。
【請求項５５】
前記第３のインジケーションに少なくとも部分的に基づいて、別の装置および１または複数の装置から、通信している装置を選択すること、をさらに備える請求項５４に記載の方法。
【請求項５６】
前記選択された通信している装置からデータを受信すること、をさらに備える請求項５５に記載の方法。
【請求項５７】
前記選択された通信している装置は、別の装置および１または複数の装置のうち、最高の利用可能な送信電力を有する、請求項５５に記載の方法。
【請求項５８】
前記選択された通信している装置は、別の装置および１または複数の装置のうち、装置の受信能力に最も相応する送信能力を備える、請求項５５に記載の方法。
【請求項５９】
前記フィールドが特定の値に設定されている場合に、前記第３のインジケーションを無視すること、をさらに備える請求項５４に記載の方法。
【請求項６０】
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信する手段と、
前記第１のインジケーションに少なくとも部分的に基づいて、別の装置への通信のためのレートを選択する手段と、
を備える装置。
【請求項６１】
前記レートにしたがって、別の装置にデータを送信する手段、をさらに備える請求項６０に記載の装置。
【請求項６２】
前記フレームはさらに、受信のために別の装置によってサポートされている最高のデータ・レートに関する第２のインジケーションを備える、請求項６０に記載の装置。
【請求項６３】
前記フレームはさらに、別の装置がその送信ＭＣＳ能力を通知するか否かを指定するフィールド、対応する異なる数のＳＳを送信するために別の装置によってサポートされている複数のＭＣＳに関する第３のインジケーション、または、別の装置による送信のためにサポートされている最高のデータ・レートに関する第４のインジケーション、のうちの少なくとも１つを備える、請求項６２に記載の装置。
【請求項６４】
前記第３のインジケーションに少なくとも部分的に基づいて、別の装置および１または複数の装置から、通信している装置を選択する手段、をさらに備える請求項６３に記載の装置。
【請求項６５】
前記受信する手段はさらに、前記選択された通信している装置から、データを受信するように構成された、請求項６４に記載の装置。
【請求項６６】
前記選択された通信している装置は、別の装置および１または複数の装置のうち、最高の利用可能な送信電力を有する、請求項６４に記載の装置。
【請求項６７】
前記選択された通信している装置は、別の装置および１または複数の装置のうち、前記装置の受信能力に最も相応する送信能力を備える、請求項６４に記載の装置。
【請求項６８】
前記フィールドが特定の値に設定されている場合に、前記第３のインジケーションを無視する手段、をさらに備える請求項６３に記載の装置。
【請求項６９】
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信するように構成された受信機と、
前記第１のインジケーションに少なくとも部分的に基づいて、別の装置への通信のためのレートを選択するように構成された回路と、
を備える装置。
【請求項７０】
無線通信のために実行可能な命令群を含むコンピュータ読取可能な媒体であって、
前記実行可能な命令群は、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することと
のための命令群を備える、コンピュータ読取可能な媒体。
【請求項７１】
無線通信のための方法であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することとを備え、
前記第１のインジケーションは、複数の帯域幅のおのおのの値を備え、
前記値は、その帯域幅について、別の装置による受信のためにサポートされているＭＣＳのうちの最高のＭＣＳを示す、方法。
【請求項７２】
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、請求項７１に記載の方法。
【請求項７３】
前記レートにしたがって、別の装置にデータを送信すること、をさらに備える請求項７１に記載の方法。
【請求項７４】
前記フレームはさらに、別の装置がその送信ＭＣＳ能力を通知するか否かを指定するフィールド、または、対応する異なる数のＳＳを送信するために別の装置によってサポートされている複数のＭＣＳに関する第２のインジケーションのうちの少なくとも１つを備える、請求項７１に記載の方法。
【請求項７５】
前記第２のインジケーションに少なくとも部分的に基づいて、別の装置および１または複数の装置から、通信している装置を選択すること、をさらに備える請求項７４に記載の方法。
【請求項７６】
前記選択された通信している装置から、データを受信すること、をさらに備える請求項７５に記載の方法。
【請求項７７】
前記選択された通信している装置は、別の装置および１または複数の装置のうち、最高の利用可能な送信電力を有する、請求項７５に記載の方法。
【請求項７８】
前記選択された通信している装置は、別の装置および１または複数の装置のうち、前記装置の受信能力に最も相応する送信能力を備える、請求項７５に記載の方法。
【請求項７９】
前記フィールドが特定の値に設定されている場合に、前記第２のインジケーションを無視すること、をさらに備える請求項７４に記載の方法。
【請求項８０】
前記第２のインジケーションは、複数の帯域幅のおのおのの値を備え、
前記値は、その帯域幅について、別の装置による送信のためにサポートされているＭＣＳのうちの最高のＭＣＳを示す、請求項７４に記載の方法。
【請求項８１】
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信する手段と、
前記第１のインジケーションに少なくとも部分的に基づいて、別の装置への通信のためのレートを選択する手段とを備え、
前記第１のインジケーションは、複数の帯域幅のおのおのの値を備え、
前記値は、その帯域幅について、別の装置による受信のためにサポートされているＭＣＳのうちの最高のＭＣＳを示す、装置。
【請求項８２】
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、請求項８１に記載の装置。
【請求項８３】
前記レートにしたがって、別の装置にデータを送信する手段、をさらに備える請求項８１に記載の装置。
【請求項８４】
前記フレームはさらに、別の装置がその送信ＭＣＳ能力を通知するか否かを指定するフィールド、または、対応する異なる数のＳＳを送信するために別の装置によってサポートされている複数のＭＣＳに関する第２のインジケーションのうちの少なくとも１つを備える、請求項８１に記載の装置。
【請求項８５】
前記第２のインジケーションに少なくとも部分的に基づいて、別の装置および１または複数の装置から、通信している装置を選択する手段、をさらに備える請求項８４に記載の装置。
【請求項８６】
前記受信する手段はさらに、前記選択された通信している装置から、データを受信するように構成された、請求項８５に記載の装置。
【請求項８７】
前記選択された通信している装置は、別の装置および１または複数の装置のうち、最高の利用可能な送信電力を有する、請求項８５に記載の装置。
【請求項８８】
前記選択された通信している装置は、別の装置および１または複数の装置のうち、前記装置の受信能力に最も相応する送信能力を備える、請求項８５に記載の装置。
【請求項８９】
前記フィールドが特定の値に設定されている場合に、前記第２のインジケーションを無視する手段、をさらに備える請求項８４に記載の装置。
【請求項９０】
前記第２のインジケーションは、複数の帯域幅のおのおのの値を備え、
前記値は、その帯域幅について、別の装置による送信のためにサポートされているＭＣＳのうちの最高のＭＣＳを示す、請求項８４に記載の装置。
【請求項９１】
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信するように構成された受信機と、
前記第１のインジケーションに少なくとも部分的に基づいて、別の装置への通信のためのレートを選択するように構成された回路とを備え、
前記第１のインジケーションは、複数の帯域幅のおのおのの値を備え、
前記値は、その帯域幅について、別の装置による受信のためにサポートされているＭＣＳのうちの最高のＭＣＳを示す、装置。
【請求項９２】
無線通信のために実行可能な命令群を含むコンピュータ読取可能な媒体であって、
前記実行可能な命令群は、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することとのための命令群を備え、
前記第１のインジケーションは、複数の帯域幅のおのおのの値を備え、
前記値は、その帯域幅について、別の装置による受信のためにサポートされているＭＣＳのうちの最高のＭＣＳを示す、コンピュータ読取可能な媒体。
【発明の詳細な説明】
【優先権主張】
【０００１】
本特許出願は、本特許出願の譲受人に譲渡され本明細書において参照によって明確に組み込まれた２０１０年１２月１６日出願の「超高スループット無線システムのためにサポートされた変調−符号化スキーム」（Supported modulation-coding scheme for Very High Throughput wireless systems）と題された米国仮特許出願６１／４２３，９２４号の利益を主張する。
【技術分野】
【０００２】
本開示のある態様は、一般に、無線通信に関し、さらに詳しくは、超高スループット（ＶＨＴ）無線システムにおいて送信されるフレームにおける変調−符号化スキーム（ＭＳＣ）セット・フィールドを設計するための方法および装置に関する。
【背景技術】
【０００３】
無線通信システムのために要求される帯域幅要件が増加する問題に対処するために、複数のユーザ端末が、チャネル・リソースを共有することによって、高データ・スループットを達成しながら、単一のアクセス・ポイント（ＡＰ）と通信することを可能にするための、異なるスキームが開発されている。複数入力複数出力（ＭＩＭＯ）技術は、次世代通信システムのためのポピュラーな技術として最近現れたこのような１つのアプローチを表す。ＭＩＭＯ技術は、例えば電気電子学会（ＩＥＥＥ）８０２．１１規格のようないくつかの新興の無線通信規格に採用された。ＩＥＥＥ  ８０２．１１は、短距離通信（例えば、数１０メートルから数１００メートル）のためにＩＥＥＥ  ８０２．１１委員会によって開発された無線ローカル・エリア・ネットワーク（ＷＬＡＮ）エア・インタフェース規格のセットを示す。
【０００４】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ，ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００５】
単一のＡＰと複数のユーザ局（ＳＴＡ）とを備える無線ネットワークでは、アップリンク方向とダウンリンク方向との両方において、複数のチャネルにおいて、異なるＳＴＡへの同時送信が生じうる。このようなシステムには、多くのチャレンジがある。例えば、ＡＰは、例えばＩＥＥＥ  ８０１．１１ｎ／ａ／ｂ／ｇ規格またはＩＥＥＥ  ８０２．１１ａｃ（超高スループット（ＶＨＴ））規格のような異なる規格を用いて信号を送信しうる。受信機ＳＴＡは、送信パケットのプリアンブルに含まれる情報に基づいて、信号の送信モードを検出することができうる。
【０００６】
空間分割多元接続（ＳＤＭＡ）送信に基づくダウンリンク・マルチ・ユーザＭＩＭＯ（ＭＵ−ＭＩＭＯ）システムは、ＡＰのアンテナ・アレイにおいてビームフォーミングを適用することによって、空間的に分離された複数のＳＴＡに同時にサービス提供しうる。サポートされているＳＴＡのおのおのから受信されるチャネル状態情報（ＣＳＩ）に基づいて、ＡＰによって、複雑な送信プリコーディング重みが計算されうる。
【発明の概要】
【０００７】
本開示のある態様は、無線通信のための方法を提供する。この方法は一般に、対応する異なる数の空間ストリーム（ＳＳ）を受信するために、装置によってサポートされている複数の変調−符号化スキーム（ＭＣＳ）に関する第１のインジケーションを備えるフレームを、装置において構築することと、このフレームを送信することと、を含む。
【０００８】
本開示のある態様は、無線通信のための装置を提供する。この装置は一般に、対応する異なる数の空間ストリーム（ＳＳ）を受信するために、装置によってサポートされている複数の変調−符号化スキーム（ＭＣＳ）に関する第１のインジケーションを備えるフレームを、装置において構築するように構成された回路と、このフレームを送信するように構成された送信機と、を含む。
【０００９】
本開示のある態様は、無線通信のための装置を提供する。この装置は一般に、対応する異なる数の空間ストリーム（ＳＳ）を受信するために、装置によってサポートされている複数の変調−符号化スキーム（ＭＣＳ）に関する第１のインジケーションを備えるフレームを、装置において構築する手段と、このフレームを送信するための手段と、を含む。
【００１０】
ある態様は、無線通信のためのコンピュータ・プログラム製品を提供する。このコンピュータ・プログラム製品は、対応する異なる数の空間ストリーム（ＳＳ）を受信するために、装置によってサポートされている複数の変調−符号化スキーム（ＭＣＳ）に関する第１のインジケーションを備えるフレームを、装置において構築することと、このフレームを送信することと、のための実行可能な命令群を備えるコンピュータ読取可能な媒体を含む。
【００１１】
本開示のある態様は、無線通信のための方法を提供する。この方法は一般に、対応する異なる数の空間ストリーム（ＳＳ）を受信するために、装置によってサポートされている複数の変調−符号化スキーム（ＭＣＳ）に関する第１のインジケーションを備えるフレームを、装置において構築することと、このフレームを送信することとを含み、第１のインジケーションは、複数の帯域幅のおのおのの値を備え、値は、その帯域幅について、装置による受信のためにサポートされているＭＣＳのうちの最高のＭＣＳを示す。
【００１２】
本開示のある態様は、無線通信のための装置を提供する。この装置は一般に、対応する異なる数の空間ストリーム（ＳＳ）を受信するために、装置によってサポートされている複数の変調−符号化スキーム（ＭＣＳ）に関する第１のインジケーションを備えるフレームを、装置において構築するように構成された回路と、このフレームを送信するように構成された送信機とを含み、第１のインジケーションは、複数の帯域幅のおのおのの値を備え、値は、その帯域幅について、装置による受信のためにサポートされているＭＣＳのうちの最高のＭＣＳを示す。
【００１３】
本開示のある態様は、無線通信のための装置を提供する。この装置は一般に、対応する異なる数の空間ストリーム（ＳＳ）を受信するために、装置によってサポートされている複数の変調−符号化スキーム（ＭＣＳ）に関する第１のインジケーションを備えるフレームを、装置において構築する手段と、このフレームを送信する手段とを含み、第１のインジケーションは、複数の帯域幅のおのおのの値を備え、値は、その帯域幅について、装置による受信のためにサポートされているＭＣＳのうちの最高のＭＣＳを示す。
【００１４】
ある態様は、無線通信のためのコンピュータ・プログラム製品を提供する。このコンピュータ・プログラム製品は、対応する異なる数の空間ストリーム（ＳＳ）を受信するために、装置によってサポートされている複数の変調−符号化スキーム（ＭＣＳ）に関する第１のインジケーションを備えるフレームを、装置において構築することと、このフレームを送信することとのために実行可能な命令群を備えるコンピュータ読取可能な媒体を含み、第１のインジケーションは、複数の帯域幅のおのおのの値を備え、値は、その帯域幅について、装置による受信のためにサポートされているＭＣＳのうちの最高のＭＣＳを示す。
【００１５】
本開示のある態様は、無線通信のための方法を提供する。この方法は一般に、対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、第１のインジケーションに少なくとも部分的に基づいて、別の装置への通信のためのレートを選択することと、を含む。
【００１６】
本開示のある態様は、無線通信のための装置を提供する。この装置は一般に、対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信するように構成された受信機と、第１のインジケーションに少なくとも部分的に基づいて、別の装置への通信のためのレートを選択するように構成された回路と、を含む。
【００１７】
本開示のある態様は、無線通信のための装置を提供する。この装置は一般に、対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信する手段と、第１のインジケーションに少なくとも部分的に基づいて、別の装置への通信のためのレートを選択する手段と、を含む。
【００１８】
ある態様は、無線通信のためのコンピュータ・プログラム製品を提供する。このコンピュータ・プログラム製品は、対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、第１のインジケーションに少なくとも部分的に基づいて、別の装置への通信のためのレートを選択することとのために実行可能な命令群を備えるコンピュータ読取可能な媒体を含む。
【００１９】
本開示のある態様は、無線通信のための方法を提供する。この方法は一般に、対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、第１のインジケーションに少なくとも部分的に基づいて、別の装置への通信のためのレートを選択することとを含み、第１のインジケーションは、複数の帯域幅のおのおのの値を備え、値は、その帯域幅について、別の装置による受信のためにサポートされているＭＣＳのうちの最高のＭＣＳを示す。
【００２０】
本開示のある態様は、無線通信のための装置を提供する。この装置は一般に、対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信するように構成された受信機と、第１のインジケーションに少なくとも部分的に基づいて、別の装置への通信のためのレートを選択するように構成された回路とを含み、第１のインジケーションは、複数の帯域幅のおのおのの値を備え、値は、その帯域幅について、別の装置による受信のためにサポートされているＭＣＳのうちの最高のＭＣＳを示す。
【００２１】
本開示のある態様は、無線通信のための装置を提供する。この装置は一般に、対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信する手段と、第１のインジケーションに少なくとも部分的に基づいて、別の装置への通信のためのレートを選択する手段とを含み、第１のインジケーションは、複数の帯域幅のおのおのの値を備え、値は、その帯域幅について、別の装置による受信のためにサポートされているＭＣＳのうちの最高のＭＣＳを示す。
【００２２】
ある態様は、無線通信のためのコンピュータ・プログラム製品を提供する。このコンピュータ・プログラム製品は、対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、第１のインジケーションに少なくとも部分的に基づいて、別の装置への通信のためのレートを選択することとのために実行可能な命令群を備えるコンピュータ読取可能な媒体を含み、第１のインジケーションは、複数の帯域幅のおのおのの値を備え、値は、その帯域幅について、別の装置による受信のためにサポートされているＭＣＳのうちの最高のＭＣＳを示す。
【図面の簡単な説明】
【００２３】
本開示の前述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示していることや、本開示の範囲を限定するものとしては考慮されないことが注目されるべきである。
【図１】図１は、本開示のある態様にしたがう無線通信ネットワークを例示する。
【図２】図２は、本開示のある態様にしたがうアクセス・ポイントおよびユーザ端末の例のブロック図を例示する。
【図３】図３は、本開示のある態様にしたがう無線デバイスの例のブロック図を例示する。
【図４】図４は、本開示のある態様にしたがって、変調−符号化スキーム（ＭＣＳ）マップを受信する例を例示する。
【図５】図５は、本開示のある態様にしたがう、超高スループット（ＶＨＴ）サポートＭＣＳのためのフレーム・フォーマットの例を例示する。
【図６】図６は、本開示のある態様にしたがう、複数の帯域幅のためのＭＣＳマップを受信する例を例示する。
【図７】図７は、本開示のある態様にしたがう、ＶＨＴサポートＭＣＳのためのフレーム・フォーマットの別の例を例示する。
【図８Ａ】図８Ａは、本開示のある態様にしたがう、ＶＨＴサポートＭＣＳセット・サブフィールドの例を例示する。
【図８Ｂ】図８Ｂは、本開示のある態様にしたがう、ＶＨＴサポートＭＣＳセット・サブフィールドの例を例示する。
【図８Ｃ】図８Ｃは、本開示のある態様にしたがう、ＶＨＴサポートＭＣＳセット・サブフィールドの例を例示する。
【図９】図９は、本開示のある態様にしたがって、ＶＨＴサポートＭＣＳのためのフレームを構築するための動作の例を例示する。
【図９Ａ】図９Ａは、図９の動作を実行することが可能な構成要素の例を例示する。
【図１０】図１０は、本開示のある態様にしたがう、ＶＨＴサポートＭＣＳのためのフレームを構築するための動作の別の例を例示する。
【図１０Ａ】図１０Ａは、図１０の動作を実行することが可能な構成要素の例を例示する。
【図１１】図１１は、本開示のある態様にしたがって、ＶＨＴサポートＭＣＳのためのフレームを受信するための動作の例を例示する。
【図１１Ａ】図１１Ａは、図１１の動作を実行することが可能な構成要素の例を例示する。
【図１２】図１２は、本開示のある態様にしたがって、ＶＨＴサポートＭＣＳのためのフレームを受信するための動作の別の例を例示する。
【図１２Ａ】図１２Ａは、図１２の動作を実行することが可能な構成要素の例を例示する。
【発明を実施するための形態】
【００２４】
本開示のさまざまな態様は、添付図面を参照して以下により十分に記載される。しかしながら、本開示は、異なる多くの形態で具体化され、本開示を通じて示された如何なる具体的な構成または機能にも限定されるとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実現され、方法が実施されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００２５】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００２６】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２７】
（典型的な無線通信システム）  
本明細書に記載された技術は、シングル・キャリア送信に基づく通信システムを含む、さまざまなブロードバンド無線通信システムのために使用されうる。本明細書で開示された態様は、例えば、ミリ・メートル波信号を含む超広帯域（ＵＭＢ）信号を適用するシステムに有利でありうる。しかしながら、他の符号化信号が同様の利点から利益を得るので、本開示は、このようなシステムに限定されるとは意図されていない。
【００２８】
本明細書に記載された教示は、さまざまな有線装置または無線装置（例えば、ノード）へ組み込まれうる（例えば、これら内で実行されるか、これらによって実施される）。いくつかの態様では、ノードは、無線ノードを備える。このような無線ノードは、例えば、有線または無線による通信リンクによる（例えば、インターネットまたはセルラ・ネットワークのような広域ネットワークのような）ネットワークへの、または、ネットワークのための接続を提供しうる。いくつかの態様では、本明細書における教示したがって実施される無線ノードは、アクセス・ポイントまたはアクセス端末を備えうる。
【００２９】
アクセス・ポイント（“ＡＰ”）は、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。いくつかの実装では、アクセス・ポイントは、セット・トップ・ボックス・キオスク、メディア・センタ、または、無線媒体または有線媒体を介して通信するように構成されたその他任意の適切なデバイスを備えうる。本開示のある態様によれば、アクセス・ポイントは、無線通信規格の電気電子学会（ＩＥＥＥ）８０２．１１体系にしたがって動作しうる。
【００３０】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、タブレット、エンタティメント・デバイス（例えば、音楽またはビデオ・デバイス、または衛星ラジオ）、テレビ・ディスプレイ、フリップ・カム、セキュリティ・ビデオカメラ、デジタル・ビデオ・レコーダ（ＤＶＲ）、全地球測位システム・デバイス、あるいは無線媒体または有線媒体によって通信するように構成されたその他任意の適切なデバイスに組み入れられうる。本開示のある態様によれば、アクセス端末は、無線通信規格のＩＥＥＥ  ８０２．１１体系にしたがって動作しうる。
【００３１】
図１は、アクセス・ポイントおよびユーザ端末を備えた多元接続ＭＩＭＯシステム１００を例示する。簡略のために、図１には、１つのアクセス・ポイント１１０しか示されていない。アクセス・ポイント（ＡＰ）は、一般に、ユーザ端末と通信する固定局であり、基地局、またはその他いくつかの用語でも称されうる。ユーザ端末は、据置式または移動式であり、移動局、局（ＳＴＡ）、クライアント、無線デバイス、またはその他いくつかの用語でも称されうる。ユーザ端末は、例えばセルラ電話、携帯情報端末（ＰＤＡ）、ハンドヘルド・デバイス、無線モデム、ラップトップ・コンピュータ、パーソナル・コンピュータ等のような無線デバイスでありうる。
【００３２】
アクセス・ポイント１１０は、ダウンリンクおよびアップリンクにおいて、所与の瞬間において、１または複数のユーザ端末１２０と通信しうる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピア・トゥ・ピアを通信しうる。システム・コントローラ１３０は、アクセス・ポイントに接続しており、アクセス・ポイントのための調整および制御を与える。
【００３３】
システム１００は、ダウンリンクおよびアップリンクにおけるデータ送信のために複数の送信アンテナおよび複数の受信アンテナを適用する。アクセス・ポイント１１０は、Ｎａｐ個のアンテナを装備しており、ダウンリンク送信のための複数の入力（ＭＩ）と、アップリンク送信のための複数の出力（ＭＯ）とを示す。Ｎｕ個の選択されたユーザ端末１２０のセットは、集合的に、ダウンリンク送信のための複数の出力と、アップリンク送信のための複数の入力とを示す。ある場合では、Ｎｕ個のユーザ端末のためのデータ・シンボル・ストリームが、ある手段によって、符号、周波数、または時間で多重化されていない場合、Ｎａｐ≧Ｎｕ≧１を有することが所望されうる。データ・シンボル・ストリームが、ＣＤＭＡで異なる符号チャネルを用いて、ＯＦＤＭでサブ帯域の別のセットを用いて、等で多重化されうるのであれば、Ｎｕは、Ｎａｐよりも大きくなりうる。選択された各ユーザ端末は、ユーザ特有データをアクセス・ポイントへ送信するか、および／または、ユーザ特有データをアクセス・ポイントから受信する。一般に、選択されたユーザ端末はそれぞれ、１または複数のアンテナ（つまり、Ｎｕｔ≧１）を装備しうる。Ｎｕ個の選択されたユーザ端末は、同じまたは異なる数のアンテナを有しうる。
【００３４】
ＭＩＭＯシステム１００は、時分割デュプレクス（ＴＤＤ）システムまたは周波数分割デュプレクス（ＦＤＤ）システムをサポートしうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。ＭＩＭＯシステム１００は、６０ＧＨｚ帯域で動作する高速無線ローカル・エリア・ネットワーク（ＷＬＡＮ）を表しうる。
【００３５】
図２は、ＭＩＭＯシステム１００におけるアクセス・ポイント１１０と２つのユーザ端末１２０ｍ，１２０ｘのブロック図を示す。アクセス・ポイント１１０は、Ｎａｐ個のアンテナ２２４ａ乃至２２４ａｐを装備している。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備している。アクセス・ポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、周波数チャネルを介してデータを送信することが可能な、独立して動作する装置またはデバイスであり、「受信エンティティ」は、周波数チャネルを介してデータを受信することが可能な、独立して動作する装置またはデバイスである。後述する説明では、添字“ｄｎ”は、ダウンリンクを示し、添字“ｕｐ”は、アップリンクを示し、Ｎｕｐ個のユーザ端末が、アップリンクにおける同時通信のために選択され、Ｎｄｎ個のユーザ端末が、ダウンリンクにおける同時通信のために選択され、Ｎｕｐは、Ｎｄｎと等しい場合も、等しくない場合もあり、ＮｕｐおよびＮｄｎは、固定値であることも、各スケジューリング・インタバルについて変動する場合もありうる。ビーム・ステアリングまたはその他のある空間処理技術が、アクセス・ポイントおよびユーザ端末において使用されうる。
【００３６】
アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データ｛ｄｕｐ，ｍ｝を処理（例えば、符号化、インタリーブ、および変調）し、データ・シンボル・ストリーム｛ｓｕｐ，ｍ｝を提供する。ＴＸ空間プロセッサ２９０は、データ・シンボル・ストリーム｛ｓｕｐ，ｍ｝について空間処理を実行し、Ｎｕｔ，ｍ個のアンテナのためにＮｕｔ，ｍ個の送信シンボル・ストリームを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセス・ポイント１１０へ送信のために、Ｎｕｔ，ｍ個のアップリンク信号を提供する。
【００３７】
Ｎｕｐ個のユーザ端末は、アップリンクにおける同時送信のためにスケジュールされうる。これらユーザ端末の各々は、データ・シンボル・ストリームについて空間処理を実行し、送信シンボル・ストリームのセットを、アップリンクで、アクセス・ポイントへ送信する。
【００３８】
アクセス・ポイント１１０では、Ｎａｐ個のアンテナ２２４ａ乃至２２４ａｐが、アップリンクで送信しているＮｕｐ個すべてのユーザ端末から、アップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信機空間処理を実行し、復元されたＮａｐ個のアップリンク・データ・シンボル・ストリームを提供する。受信機空間処理は、チャネル相関行列変換（ＣＣＭＩ）、最小平均平方誤差（ＭＭＳＥ）、連続干渉除去（ＳＩＣ）、またはその他いくつかの技術にしたがって実行される。復元された各アップリンク・データ・シンボル・ストリーム｛ｓｕｍ，ｍ｝は、それぞれのユーザ端末によって送信されたデータ・シンボル・ストリーム｛ｓｕｍ，ｍ｝の推定値である。ＲＸデータ・プロセッサ２４２は、復号されたデータを取得するために、そのストリームのために使用されたレートにしたがって、復元された各アップリンク・データ・シンボル・ストリーム｛ｓｕｐ，ｍ｝を処理（例えば、復調、デインタリーブ、および復号）する。各ユーザ端末の復号されたデータは、格納のためにデータ・シンク２４４へ提供され、および／または、さらなる処理のためにコントローラ２３０へ提供されうる。
【００３９】
ダウンリンクでは、アクセス・ポイント１１０において、ＴＸデータ・プロセッサ２１０は、ダウンリンク送信のためにスケジュールされたＮｄｎ個のユーザ端末のためのトラフィック・データをデータ・ソース２０８から、制御データをコントローラ２３０から、恐らくはその他のデータをスケジューラ２３４から受信する。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームについて空間処理を実行し、Ｎａｐ個のアンテナのために、Ｎａｐ個の送信シンボルを提供する。各送信機ユニット（ＴＭＴＲ）２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のため、Ｎａｐ個のダウンリンク信号を提供する。
【００４０】
各ユーザ端末１２０では、Ｎｕｔ，ｍ個のアンテナ２５２が、アクセス・ポイント１１０からＮａｐ個のダウンリンク信号を受信する。各受信機ユニット（ＲＣＶＲ）２５４は、関連するアンテナ２５２からの受信信号を処理し、受信シンボル・ストリームを提供する。ＲＸ空間プロセッサ２６０は、Ｎｕｔ，ｍ個の受信ユニット２５４からのＮｕｔ，ｍ個の受信シンボル・ストリームについて受信機空間処理を実行し、ユーザ端末のために復元されたダウンリンク・データ・シンボル・ストリーム｛ｓｄｎ，ｍ｝を提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００４１】
各ユーザ端末１２０では、Ｎｕｔ，ｍ個のアンテナ２５２が、アクセス・ポイント１１０からＮａｐ個のダウンリンク信号を受信する。各受信機ユニット（ＲＣＶＲ）２５４は、関連するアンテナ２５２からの受信信号を処理し、受信シンボル・ストリームを提供する。ＲＸ空間プロセッサ２６０は、Ｎｕｔ，ｍ個の受信ユニット２５４からのＮｕｔ，ｍ個の受信シンボル・ストリームについて受信機空間処理を実行し、ユーザ端末のために復元されたダウンリンク・データ・シンボル・ストリーム｛ｓｄｎ，ｍ｝を提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００４２】
本開示のある態様は、対応する異なる数の空間ストリーム（ＳＳ）を（例えば、ユーザ端末１２０から）受信するために、ＡＰ１１０によってサポートされている複数の変調−符号化スキーム（ＭＣＳ）に関する第１のインジケーションを備えるフレームを、（例えば、ＴＸデータ・プロセッサ２１０によって）ＡＰ１１０において構築することをサポートする。ＡＰ１１０の送信機２２２は、構築されたフレームを、ユーザ端末１２０のうちの１または複数へ送信するように構成されうる。
【００４３】
本開示のある態様は、対応する異なる数のＳＳを受信するために、ＡＰ１１０によってサポートされている複数のＭＣＳに関する第１のインジケーションを備えるフレームを、受信機２５４を用いて、ユーザ端末１２０において、ＡＰ１１０から受信することをサポートする。ユーザ端末１２０（例えば、ＲＸデータ・プロセッサ２７０）は、第１のインジケーションに少なくとも部分的に基づいて、ＡＰ１１０への通信のためのレートを選択するように構成されうる。
【００４４】
図３は、システム１００内で適用されうる無線デバイス３０２内で利用されうるさまざまな構成要素を例示する。無線デバイス３０２は、本明細書で説明されるさまざまな方法を実施するために構成され得るデバイスの例である。無線デバイス３０２は、アクセス・ポイント１１０またはユーザ端末１２０でありうる。
【００４５】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６内に格納されたプログラム命令に基づいて、論理演算および算術演算を実行する。本明細書で説明される方法を実施するために、メモリ３０６内の命令群が実行可能とされうる。
【００４６】
無線デバイス３０２は、無線デバイス３０２と遠隔位置との間でのデータの送信および受信を可能にする送信機３１０および受信機３１２を含むことができるハウジング３０８をも含みうる。送信機３１０および受信機３１２は、トランシーバ３１４に結合されうる。複数の送信アンテナ３１６が、ハウジング３０８に接続され、トランシーバ３１４に電気的に接続されている。無線デバイス３０２はまた、（図示しない）複数の送信機、複数の受信機、および複数のトランシーバを含みうる。
【００４７】
無線デバイス３０２は、トランシーバ３１４によって受信された信号を検出し、そのレベルを定量化する目的で使用される信号検出器３１８をも含みうる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００４８】
無線デバイス３０２のさまざまな構成要素を、データ・バスのみならず電力バス、制御信号バス、およびステータス信号バスを含むことができるバス・システム３２２によって、ともに結合することができる。
【００４９】
本開示のある態様は、対応する異なる数のＳＳを（例えば、ユーザ端末から）受信するために、無線デバイス３０２によってサポートされている複数のＭＣＳに関する第１のインジケーションを備えるフレームを、（例えば、プロセッサ３０４によって）無線デバイス３０２において構築することをサポートする。無線デバイス３０２の送信機３１０は、構築されたフレームを、ユーザ端末のうちの１または複数へ送信するように構成されうる。
【００５０】
本開示のある態様は、対応する異なる数のＳＳを受信するために、無線デバイス３０２によってサポートされている複数のＭＣＳに関する第１のインジケーションを備えるフレームを、受信機３１２を用いて、無線デバイス３０２において受信することをサポートする。無線デバイス３０２（例えば、プロセッサ３０４）は、第１のインジケーションに少なくとも部分的に基づいて、無線デバイス３０２にサービス提供しているアクセス・ポイントへの通信のためのレートを選択するように構成されうる。
【００５１】
本開示のある態様によれば、例えば図１−２からのＡＰおよびユーザＳＴＡのような、アクセス・ポイント（ＡＰ）とユーザ局（ＳＴＡ）との両方のために、８００ｎｓのガード・インタバル（ＧＩ）を備える２０ＭＨｚ、４０ＭＨｚ、および８０ＭＨｚの物理レイヤ収束手順プロトコル・データ・ユニット（ＰＰＤＵ）の単一ストリームで、変調符号化スキーム（ＭＣＳ）０乃至７のためのサポートの送信および受信を提供することが要求されうる。さらに、４００ｎｓのＧＩのためのサポート、１６０ＭＨｚチャネル帯域幅における動作のためのサポート、８および９からなるＭＣＳのためのサポート、複数の空間ストリームのためのサポート、の受信を提供することが可能でありうる。
【００５２】
本開示のある態様は、ＩＥＥＥ  ８０２．１１ａｃ無線通信規格のためにＳＴＡがどのＭＣＳ（例えば、ＭＣＳ、空間ストリームの数（Ｎｓｓ）、および帯域幅（ＢＷ）の組み合わせ）をサポートしうるのかを示す「ＭＣＳセット・フィールド」を設計することをサポートすることを開示する。ＩＥＥＥ  ８０２．１１ｎでは、ＭＣＳは、０乃至７６の範囲にある整数（異なるＮｓｓ個の可能性を含みうる）によって示されうるＭＣＳインデクスによって識別されうる。ＩＥＥＥ  ８０２．１１ａｃでは、ＭＣＳおよびＮｓｓは、関連性のない量であるので、新たな設計が望まれる。さらに、等しくない変調は可能ではないかもしれないので、サポートされていうるＭＣＳセット・フィールドが圧縮されうる。新たなＭＣＳフィールドは、可能な限り低いオーバヘッドを維持しつつ、曖昧性の余地をほとんど残さずに、実装のための十分な柔軟性を提供しうる。
【００５３】
（超高スループット（ＶＨＴ）サポート変調−符号化スキーム（ＭＣＳ）フィールドの内容）  
図４は、本開示のある態様にしたがう、受信機変調−符号化スキーム（Ｒｘ  ＭＣＳ）マップのフォーマット４００の例を例示する。Ｒｘ  ＭＣＳマップ４００は、送信フレームの、ＶＨＴサポートＭＣＳフィールドの一部でありうる。態様では、Ｒｘ  ＭＣＳマップ４００は、３２ビット・フィールドを備えうる。これは、Ｒｘ  ＭＣＳマップ４００を送信しているＳＴＡにおいて受信された空間ストリーム数（Ｎｓｓ）の各番号のためにサポートされている最大ＭＣＳを指定しうる。
【００５４】
フィールド４０２は、各Ｎｓｓ値について０乃至９の４ビット数を備えうる。態様では、フィールド４０２が示しうる１からなる‘１１１１’のバイナリ値は、そのＮｓｓのためのサポートしない。所与のＮｓｓ値のためにＭＣＳ番号ｎがサポートされている場合、値ｍがそのＮｓｓのために制約されたＭＣＳではないのであれば、そのＮｓｓのために、ｎ値以下であるすべてのＭＣＳのｍもまたサポートされうる。
【００５５】
Ｒｘ  ＭＣＳマップ・フィールド４００によれば、「Ｒｘ最高サポート・データ・レート」フィールドが定義されうる。このフィールドは、ＳＴＡによる受信のためにサポートされている最高のデータ・レートに制限を設けるために必要とされうる。「Ｒｘ最高サポート・データ・レート」フィールドは１３ビットを備え、サポートされているデータ・レートは、１Ｍｂ／ｓの単位にありうる。ここで、‘００００００００００００１’からなるバイナリ値は、１Ｍｂ／ｓの受信のためにサポートされているデータ・レートを示す一方、バイナリ値をインクリメントすることは、サポートされている受信データ・レートを、１Ｍｂ／ｓのステップで増加させることに対応しうる。
【００５６】
ＶＨＴサポートＭＣＳフィールドはさらに、送信機（Ｔｘ）ＭＣＳセット定義ビットを備えうる。このビットは、送信しているＳＴＡが、その送信ＭＣＳ能力を通知しているか否かを指定しうる。本開示の態様では、このビットがゼロに設定されている場合、後続するフィールドは無関係でありうる。このビットが１に設定されている場合、後続するフィールドは、ＳＴＡが、よりパワフルなアクセス・ポイント（ＡＰ）、または、よりＳＴＡ自身の能力に相応するＡＰを選択することを支援しうる。
【００５７】
Ｔｘ  ＭＣＳマップは、「Ｔｘ  ＭＣＳセット定義」ビットにしたがいうる。本開示の態様では、Ｔｘ  ＭＣＳマップは、図４に例示されたＲｘ  ＭＣＳマップ４００と同一でありうる。
【００５８】
さらに、「Ｔｘ最高サポート・データ・レート」フィールドは、Ｔｘ  ＭＣＳマップにしたがいうる。このフィールドは、ＳＴＡが送信のために利用しうる最大データ・レートを通知することが要求されうる。「Ｔｘ最高サポート・データ・レート」フィールドは、１３ビットを備えうる。そして、サポートされている送信データ・レートは、１Ｍｂ／ｓの単位でありうる。ここで、‘００００００００００００１’からなるバイナリ値は、１Ｍｂ／ｓのサポートされている送信データ・レートを示す一方、バイナリ値をインクリメントすることは、送信データ・レートを、１Ｍｂ／ｓのステップで増加させることに対応しうる。
【００５９】
図５は、本開示のある態様にしたがう、ＶＨＴサポートＭＣＳのためのフレーム・フォーマット５００の例を例示する。前述したように、フレーム５００は、図４からのＲｘ  ＭＣＳマップ４００、Ｒｘ最高サポート・データ・レート・フィールド５０２、Ｔｘ  ＭＣＳセット定義ビット５０４、Ｔｘ  ＭＣＳマップ・フィールド５０６、Ｔｘ最高サポート・データ・レート５０８、または予約ビット５１０のうちの少なくとも１つを備えうる。
【００６０】
図６は、本開示のある態様にしたがう、複数の帯域幅のためのＲｘ  ＭＣＳマップのフォーマット６００の例を例示する。態様では、複数の帯域幅は、２０ＭＨｚの帯域幅、４０ＭＨｚの帯域幅、８０ＭＨｚの帯域幅、または１６０ＭＨｚの帯域幅のうちの少なくとも１つを備えうる。Ｒｘ  ＭＣＳマップ６００は、１２８ビット・フィールドを備えうる。ここで、３２ビットは、各帯域幅（例えば、２０ＭＨｚ、４０ＭＨｚ、８０ＭＨｚ、および１６０ＭＨｚ）のために特化されることができ、Ｒｘ  ＭＣＳマップ６００を送信しているＳＴＡにおいて受信された空間ストリームの全ての番号のためにサポートされている最大ＭＣＳを指定しうる。
【００６１】
４ビット数６０２は、各帯域幅のための各Ｎｓｓ値について０乃至９の間でありうる。態様では、フィールド６０２が示しうる１からなる‘１１１１’のバイナリ値は、そのＮｓｓのためのサポートしない。所与のＮｓｓ値のためにＭＣＳ番号ｎがサポートされている場合、値ｍがそのＮｓｓのために制約されたＭＣＳではないのであれば、そのＮｓｓのために、ｎ値以下であるすべてのＭＣＳのｍもまたサポートされうる。
【００６２】
ＶＨＴサポートＭＣＳフィールドはさらに、送信機（Ｔｘ）ＭＣＳセット定義ビットを備えうる。このビットは、送信しているＳＴＡが、その送信ＭＣＳ能力を通知しているか否かを指定しうる。態様では、このビットがゼロに設定されている場合、後続するフィールドは無関係でありうる。このビットが１に設定されている場合、後続するフィールドは、ＳＴＡが、よりパワフルなアクセス・ポイント（ＡＰ）、または、よりＳＴＡ自身の能力に相応するＡＰを選択することを支援しうる。
【００６３】
Ｔｘ  ＭＣＳマップは、Ｔｘ  ＭＣＳセット定義ビットにしたがいうる。本開示の態様では、Ｔｘ  ＭＣＳマップは、図６に例示されたＲｘ  ＭＣＳマップ６００と同一でありうる。
【００６４】
図７は、本開示のある態様にしたがう、ＶＨＴサポートＭＣＳのためのフレーム・フォーマット７００の例を例示する。前述したように、フレーム７００は、図６からのＲｘ  ＭＣＳマップ６００、Ｔｘ  ＭＣＳセット定義ビット７０２、Ｔｘ  ＭＣＳマップ・フィールド７０４、または予約ビット７０６のうちの少なくとも１つを備えうる。
【００６５】
図８Ａは、本開示のある態様にしたがう、ＶＨＴサポートＲｘ  ＭＣＳマップの例８０２を例示する。Ｒｘ  ＭＣＳマップ８０２は、空間ストリームの各番号について受信されうる最大のＭＣＳを示しうる。態様では、空間ストリームｎ＝１，・・・，８の各番号について、２ビットの「ｎ  ＳＳのための最大ＭＣＳ」サブフィールド８０４が、以下のように符号化されうる。ゼロの値であるサブフィールド８０４は、ＭＣＳ０乃至７のためのサポートを示し、１の値であるサブフィールド８０４は、ＭＣＳ０乃至８のためのサポートを示しうる。さらに、２の値であるサブフィールド８０４は、ＭＣＳ０乃至９のためのサポートを示し、３の値であるサブフィールド８０４は、ｎ個の空間ストリームがサポートされていないことを示しうる。いくつかのＭＣＳは、特定の帯域幅と、多くの空間ストリームの組み合わせのために有効ではないかもしれないことが注目されるべきである。
【００６６】
図８Ｂは、本開示のある態様にしたがう、ＶＨＴサポートＴｘ  ＭＣＳマップの例８０６を例示する。Ｔｘ  ＭＣＳマップ８０６は、空間ストリームの各番号について送信されうる最大のＭＣＳを示しうる。態様では、空間ストリームｎ＝１，・・・，８の各番号について、２ビットの「ｎ  ＳＳのための最大ＭＣＳ」サブフィールド８０８が、以下のように符号化されうる。ゼロの値であるサブフィールド８０８は、ＭＣＳ０乃至７のためのサポートを示し、１の値であるサブフィールド８０８は、ＭＣＳ０乃至８のためのサポートを示しうる。さらに、２の値であるサブフィールド８０８は、ＭＣＳ０乃至９のためのサポートを示し、３の値であるサブフィールド８０８は、ｎ個の空間ストリームがサポートされていないことを示しうる。いくつかのＭＣＳは、特定の帯域幅と、多くの空間ストリームの組み合わせのために有効ではないかもしれないことが注目されるべきである。
【００６７】
図８Ｃは、本開示のある態様にしたがう、ＶＨＴサポートＭＣＳサブフィールドのためのフレーム８２０の例を例示する。フレーム８２０は、図８ＡからのＲｘ  ＭＣＳマップ８０２、「Ｒｘ最高サポート・レート」サブフィールド８１０、図８ＣからのＴｘ  ＭＣＳマップ８０６、または「Ｔｘ最高サポート・レート」サブフィールド８１２のうちの少なくとも１つを備えうる。本開示の態様では、サブフィールド８１０は、ＳＴＡが受信しうる最大データ・レートを示し、サブフィールド８１２は、ＳＴＡが送信するであろう最大データ・レートを示しうる。最大データ・レート（つまり、送信データ・レートおよび受信データ・レート）は、Ｍｂ／ｓの単位で示されうる。ここで、１である値は、１Ｍｂ／ｓを示し、インクリメントすることは、１Ｍｂ／ｓのステップである。Ｍｂ／ｓで示された最大データ・レートが整数ではない場合、値は、次の整数に切り上げられうる。
【００６８】
図９は、本開示のある態様にしたがって、ＶＨＴサポートＭＣＳ（例えば、図５に例示されたフレーム５００、または、図８Ｃに例示されたフレーム８２０）のためのフレームを構築するための動作９００の例を例示する。動作９００は、無線通信装置（例えば、無線ノード）によって実行されうる。９０２では、フレームが構築されうる。ここで、フレームは、対応する異なる数の空間ストリーム（ＳＳ）を受信するために、装置によってサポートされている複数の変調−符号化スキーム（ＭＣＳ）に関する第１のインジケーションを備えうる。９０４では、構築されたフレームを、装置が送信しうる。
【００６９】
態様では、フレームはさらに、受信のために装置によってサポートされている最高のデータ・レートに関する第２のインジケーションを備えうる。また、フレームはさらに、装置がその送信ＭＣＳ能力を通知するか否かを指定するフィールド、対応する異なる数のＳＳを送信するために装置によってサポートされている複数のＭＣＳに関する第３のインジケーション、または、装置による送信のためにサポートされている最高のデータ・レートに関する第４のインジケーション、のうちの少なくとも１つを備えうる。１つの態様では、第１のインジケーションが特定の値を備えている場合、第１のインジケーションは、対応する数のＳＳを受信するためのサポートを示さないことがありうる。本開示のある態様によれば、フレームは、無線通信規格のＩＥＥＥ  ８０２．１１体系にしたがって送信されうる。
【００７０】
態様では、第１のインジケーションは、１または複数のＭＣＳのうちの最高のＭＣＳを示す値を備えうる。この値は、複数の帯域幅に関連付けられうる。別の態様では、第１のインジケーションは、複数の帯域幅のおのおのの値を備え、この値は、その帯域幅について、装置による受信のためにサポートされているＭＣＳのうちの最高のＭＣＳを示しうる。複数の帯域幅は、２０ＭＨｚの帯域幅、４０ＭＨｚの帯域幅、８０ＭＨｚの帯域幅、または１６０ＭＨｚの帯域幅のうちの少なくとも１つを備えうる。
【００７１】
図１０は、本開示のある態様にしたがって、ＶＨＴサポートＭＣＳのためのフレーム（例えば、図７で例示されたフレーム７００、または図８Ｃで例示されたフレーム８２０）を構築するための動作１０００の例を例示する。動作１０００は、無線通信装置（例えば、無線ノード）によって実行されうる。１００２において、フレームが構築されうる。このフレームは、対応する異なる数のＳＳを受信するために、装置によってサポートされている複数のＭＣＳに関する第１のインジケーションを備えうる。また、第１のインジケーションは、複数の帯域幅のおのおのの値を備え、値は、その帯域幅について、装置による受信のためにサポートされているＭＣＳのうちの最高のＭＣＳを示しうる。１００４において、装置は、この構築されたフレームを送信しうる。
【００７２】
本開示のある態様によれば、複数の帯域幅は、２０ＭＨｚの帯域幅、４０ＭＨｚの帯域幅、８０ＭＨｚの帯域幅、または１６０ＭＨｚの帯域幅のうちの少なくとも１つを備えうる。このフレームは、無線通信規格のＩＥＥＥ  ８０２．１１体系にしたがって送信されうる。
【００７３】
１つの態様では、フレームはさらに、装置がその送信ＭＣＳ能力を通知するか否かを指定するフィールドと、対応する異なる数のＳＳを送信するために装置によってサポートされている複数のＭＣＳに関する第２のインジケーションとを備えうる。第２のインジケーションは、複数の帯域幅のおのおのの値を備え、値は、その帯域幅について、装置による送信のためにサポートされているＭＣＳのうちの最高のＭＣＳを示しうる。態様では、第１のインジケーションが特定の値を備えている場合、第１のインジケーションは、対応する数のＳＳを受信するためのサポートを示さない場合がありうる。
【００７４】
図１１は、本開示のある態様にしたがって、ＶＨＴサポートＭＣＳのためのフレーム（例えば、図５に例示されたフレーム５００、または、図８Ｃに例示されたフレーム８２０）を受信するための動作１１００の例を例示する。動作１１００は、無線通信装置（例えば、無線ノード）によって実行されうる。１１０２では、装置は、別の装置から、対応する異なる数のＳＳを受信するために別の装置によってサポートされている複数のＭＣＳに関する第１のインジケーションを備えるフレームを受信しうる。１１０４では、装置は、第１のインジケーションに少なくとも部分的に基づいて、別の装置への通信のためのレートを選択しうる。態様では、装置は、このレートにしたがって、別の装置にデータを送信しうる。
【００７５】
態様では、フレームはさらに、受信のために別の装置によってサポートされている最高のデータ・レートに関する第２のインジケーションを備えうる。また、フレームはさらに、別の装置がその送信ＭＣＳ能力を通知するか否かを指定するフィールド、対応する異なる数のＳＳを送信するために別の装置によってサポートされている複数のＭＣＳに関する第３のインジケーション、または、別の装置による送信のためにサポートされている最高のデータ・レートに関する第４のインジケーション、のうちの少なくとも１つを備えうる。１つの態様では、装置は、フィールドが特定の値（例えば、ゼロ）に設定されている第３のインジケーションを無視しうる。
【００７６】
態様では、装置は、第３のインジケーションに少なくとも部分的に基づいて、別の装置および１または複数の装置から、通信している装置を選択しうる。装置は、その後、選択された通信している装置からデータを受信するようにスケジュールされうる。
【００７７】
態様では、選択された通信している装置は、別の装置および１または複数の装置のうち、最高の利用可能な送信電力を持つ装置でありうる。別の態様では、選択された通信している装置は、別の装置および１または複数の装置のうち、装置の受信能力に最も相応する送信能力を備えうる。
【００７８】
図１２は、本開示のある態様にしたがって、ＶＨＴサポートＭＣＳのためのフレーム（例えば、図７に例示されるフレーム７００、または、図８Ｃに例示されるフレーム８２０）を受信するための動作１２００の例を例示する。動作１２００は、無線通信装置（例えば、無線ノード）によって実行されうる。１２０２において、この装置は、対応する異なる数のＳＳを受信するために別の装置によってサポートされている複数のＭＣＳに関する第１のインジケーションを備えるフレームを、別の装置から受信しうる。ここで、第１のインジケーションは、複数の帯域幅のおのおのの値を備え、値は、その帯域幅について、別の装置による受信のためにサポートされているＭＣＳのうちの最高のＭＣＳを示しうる。１２０４において、装置は、第１のインジケーションに少なくとも部分的に基づいて、別の装置への通信のためのレートを選択しうる。態様では、装置は、このレートにしたがって、別の装置へデータを送信しうる。
【００７９】
本開示のある態様によれば、フレームはさらに、別の装置がその送信ＭＣＳ能力を通知するか否かを指定するフィールド、または、対応する異なる数のＳＳを送信するために別の装置によってサポートされている複数のＭＣＳに関する第２のインジケーションのうちの少なくとも１つを備えうる。１つの態様では、第２のインジケーションに少なくとも部分的に基づいて、別の装置および１または複数の装置のうち、通信している装置を選択しうる。その後、装置は、選択された通信している装置からデータを受信しうる。選択された通信している装置は、別の装置および１または複数の装置のうち、最高の利用可能な送信電力を有しうる。さらに、選択された通信している装置は、別の装置および１または複数の装置のうちの装置の受信能力と最も相応した送信能力を備えうる。
【００８０】
本開示の態様では、装置は、フィールドが特定の値（例えば、ゼロ）に設定されているのであれば、第２のインジケーションを無視しうる。別の態様では、第２のインジケーションは、複数の帯域幅のおのおののための値を備えうる。この値は、その帯域幅のために別の装置による送信のためにサポートされているＭＣＳのうちの最高のＭＣＳを示しうる。
【００８１】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション構成要素を有しうる。例えば、図９，１０，１１および１２に例示された動作９００，１０００，１１００および１２００は、図９Ａ，１０Ａ，１１Ａおよび１２Ａに例示された動作９００Ａ，１０００Ａ，１１００Ａおよび１２００Ａに対応する。
【００８２】
例えば、構築する手段は、例えば、アクセス・ポイント１１０の図２からのＴＸデータ・プロセッサ２１０、または、図３からの無線デバイス３０２のプロセッサ３０４のような特定用途向け集積回路を備えうる。送信する手段は、例えば、アクセス・ポイント１１０の図２からの送信機２２２、ユーザ端末１２０の図２からの送信機２５４、または、無線デバイス３０２の送信機３１０のような送信機を備えうる。受信する手段は、例えば、ユーザ端末１２０の図２からの受信機２５４、または、無線デバイス３０２の受信機３１２のような受信機を備えうる。選択する手段は、例えば、ユーザ端末１２０の図２からのＲＸデータ・プロセッサ２７０、または、無線デバイス３０２のプロセッサ３０４のような特定用途向け集積回路を備えうる。無視する手段は、例えば、ユーザ端末１２０のＲＸデータ・プロセッサ２７０、または、無線デバイス３０２のプロセッサ３０４のような特定用途向け集積回路を備えうる。
【００８３】
本明細書で用いられているように、用語「決定すること（determining）」は、さまざまな動作を含む。例えば、「決定すること」は、計算、コンピューティング、処理、導出、調査、ルックアップ（例えば、テーブル、データベース、または他のデータ構造内のルックアップ）、確認等を行うことを含みうる。また、「決定すること」は、受信（例えば、情報の受信）、アクセス（例えば、メモリ内のデータへのアクセス）等を行うことを含みうる。また、「決定すること」は、解決、選択、選定、確立等を行うことを含みうる。
【００８４】
本明細書で用いられているように、アイテムのリストのうちの「少なくとも１つ」と称する文言は、単数を含むこれらアイテムのうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００８５】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８６】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００８７】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００８８】
記載された機能は、ハードウェア、ソフトウェア、ファームウェア、またはこれら任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線（ＩＲ）、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００８９】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００９０】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００９１】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００９２】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００９３】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2015008504.tif 000003
【図２】
2015008504.tif 000004
【図３】
2015008504.tif 000005
【図４】
2015008504.tif 000006
【図５】
2015008504.tif 000007
【図６】
2015008504.tif 000008
【図７】
2015008504.tif 000009
【図８Ａ】
2015008504.tif 000010
【図８Ｂ】
2015008504.tif 000011
【図８Ｃ】
2015008504.tif 000012
【図９】
2015008504.tif 000013
【図９Ａ】
2015008504.tif 000014
【図１０】
2015008504.tif 000015
【図１０Ａ】
2015008504.tif 000016
【図１１】
2015008504.tif 000017
【図１１Ａ】
2015008504.tif 000018
【図１２】
2015008504.tif 000019
【図１２Ａ】
2015008504.tif 000020
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
無線通信のための方法であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することと、
を備える方法。
【請求項２】
前記レートにしたがって、別の装置へデータを送信すること、をさらに備える請求項１に記載の方法。
【請求項３】
前記フレームはさらに、受信のために別の装置によってサポートされている最高のデータ・レートに関する第２のインジケーションを備える、請求項１に記載の方法。
【請求項４】
前記フレームはさらに、別の装置がその送信ＭＣＳ能力を通知するか否かを指定するフィールド、対応する異なる数のＳＳを送信するために別の装置によってサポートされている複数のＭＣＳに関する第３のインジケーション、または、別の装置による送信のためにサポートされている最高のデータ・レートに関する第４のインジケーション、のうちの少なくとも１つを備える、請求項３に記載の方法。
【請求項５】
前記第３のインジケーションに少なくとも部分的に基づいて、別の装置および１または複数の装置から、通信している装置を選択すること、をさらに備える請求項４に記載の方法。
【請求項６】
前記選択された通信している装置からデータを受信すること、をさらに備える請求項５に記載の方法。
【請求項７】
前記選択された通信している装置は、別の装置および１または複数の装置のうち、最高の利用可能な送信電力を有する、請求項５に記載の方法。
【請求項８】
前記選択された通信している装置は、別の装置および１または複数の装置のうち、装置の受信能力に最も相応する送信能力を備える、請求項５に記載の方法。
【請求項９】
前記フィールドが特定の値に設定されている場合に、前記第３のインジケーションを無視すること、をさらに備える請求項４に記載の方法。
【請求項１０】
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信する手段と、
前記第１のインジケーションに少なくとも部分的に基づいて、別の装置への通信のためのレートを選択する手段と、
を備える装置。
【請求項１１】
前記レートにしたがって、別の装置にデータを送信する手段、をさらに備える請求項１０に記載の装置。
【請求項１２】
前記フレームはさらに、受信のために別の装置によってサポートされている最高のデータ・レートに関する第２のインジケーションを備える、請求項１０に記載の装置。
【請求項１３】
前記フレームはさらに、別の装置がその送信ＭＣＳ能力を通知するか否かを指定するフィールド、対応する異なる数のＳＳを送信するために別の装置によってサポートされている複数のＭＣＳに関する第３のインジケーション、または、別の装置による送信のためにサポートされている最高のデータ・レートに関する第４のインジケーション、のうちの少なくとも１つを備える、請求項１２に記載の装置。
【請求項１４】
前記第３のインジケーションに少なくとも部分的に基づいて、別の装置および１または複数の装置から、通信している装置を選択する手段、をさらに備える請求項１３に記載の装置。
【請求項１５】
前記受信する手段はさらに、前記選択された通信している装置から、データを受信するように構成された、請求項１４に記載の装置。
【請求項１６】
前記選択された通信している装置は、別の装置および１または複数の装置のうち、最高の利用可能な送信電力を有する、請求項１４に記載の装置。
【請求項１７】
前記選択された通信している装置は、別の装置および１または複数の装置のうち、前記装置の受信能力に最も相応する送信能力を備える、請求項１４に記載の装置。
【請求項１８】
前記フィールドが特定の値に設定されている場合に、前記第３のインジケーションを無視する手段、をさらに備える請求項１３に記載の装置。
【請求項１９】
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信するように構成された受信機と、
前記第１のインジケーションに少なくとも部分的に基づいて、別の装置への通信のためのレートを選択するように構成された回路と、
を備える装置。
【請求項２０】
無線通信のために実行可能な命令群を含むコンピュータ読取可能な媒体であって、
前記実行可能な命令群は、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することと
のための命令群を備える、コンピュータ読取可能な媒体。
【請求項２１】
無線通信のための方法であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することとを備え、
前記第１のインジケーションは、複数の帯域幅のおのおのの値を備え、
前記値は、その帯域幅について、別の装置による受信のためにサポートされているＭＣＳのうちの最高のＭＣＳを示す、方法。
【請求項２２】
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、請求項２１に記載の方法。
【請求項２３】
前記レートにしたがって、別の装置にデータを送信すること、をさらに備える請求項２１に記載の方法。
【請求項２４】
前記フレームはさらに、別の装置がその送信ＭＣＳ能力を通知するか否かを指定するフィールド、または、対応する異なる数のＳＳを送信するために別の装置によってサポートされている複数のＭＣＳに関する第２のインジケーションのうちの少なくとも１つを備える、請求項２１に記載の方法。
【請求項２５】
前記第２のインジケーションに少なくとも部分的に基づいて、別の装置および１または複数の装置から、通信している装置を選択すること、をさらに備える請求項２４に記載の方法。
【請求項２６】
前記選択された通信している装置から、データを受信すること、をさらに備える請求項２５に記載の方法。
【請求項２７】
前記選択された通信している装置は、別の装置および１または複数の装置のうち、最高の利用可能な送信電力を有する、請求項２５に記載の方法。
【請求項２８】
前記選択された通信している装置は、別の装置および１または複数の装置のうち、前記装置の受信能力に最も相応する送信能力を備える、請求項２５に記載の方法。
【請求項２９】
前記フィールドが特定の値に設定されている場合に、前記第２のインジケーションを無視すること、をさらに備える請求項２４に記載の方法。
【請求項３０】
前記第２のインジケーションは、複数の帯域幅のおのおのの値を備え、
前記値は、その帯域幅について、別の装置による送信のためにサポートされているＭＣＳのうちの最高のＭＣＳを示す、請求項２４に記載の方法。
【請求項３１】
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信する手段と、
前記第１のインジケーションに少なくとも部分的に基づいて、別の装置への通信のためのレートを選択する手段とを備え、
前記第１のインジケーションは、複数の帯域幅のおのおのの値を備え、
前記値は、その帯域幅について、別の装置による受信のためにサポートされているＭＣＳのうちの最高のＭＣＳを示す、装置。
【請求項３２】
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、請求項３１に記載の装置。
【請求項３３】
前記レートにしたがって、別の装置にデータを送信する手段、をさらに備える請求項３１に記載の装置。
【請求項３４】
前記フレームはさらに、別の装置がその送信ＭＣＳ能力を通知するか否かを指定するフィールド、または、対応する異なる数のＳＳを送信するために別の装置によってサポートされている複数のＭＣＳに関する第２のインジケーションのうちの少なくとも１つを備える、請求項３１に記載の装置。
【請求項３５】
前記第２のインジケーションに少なくとも部分的に基づいて、別の装置および１または複数の装置から、通信している装置を選択する手段、をさらに備える請求項３４に記載の装置。
【請求項３６】
前記受信する手段はさらに、前記選択された通信している装置から、データを受信するように構成された、請求項３５に記載の装置。
【請求項３７】
前記選択された通信している装置は、別の装置および１または複数の装置のうち、最高の利用可能な送信電力を有する、請求項３５に記載の装置。
【請求項３８】
前記選択された通信している装置は、別の装置および１または複数の装置のうち、前記装置の受信能力に最も相応する送信能力を備える、請求項３５に記載の装置。
【請求項３９】
前記フィールドが特定の値に設定されている場合に、前記第２のインジケーションを無視する手段、をさらに備える請求項３４に記載の装置。
【請求項４０】
前記第２のインジケーションは、複数の帯域幅のおのおのの値を備え、
前記値は、その帯域幅について、別の装置による送信のためにサポートされているＭＣＳのうちの最高のＭＣＳを示す、請求項３４に記載の装置。
【請求項４１】
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信するように構成された受信機と、
前記第１のインジケーションに少なくとも部分的に基づいて、別の装置への通信のためのレートを選択するように構成された回路とを備え、
前記第１のインジケーションは、複数の帯域幅のおのおのの値を備え、
前記値は、その帯域幅について、別の装置による受信のためにサポートされているＭＣＳのうちの最高のＭＣＳを示す、装置。
【請求項４２】
無線通信のために実行可能な命令群を含むコンピュータ読取可能な媒体であって、
前記実行可能な命令群は、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することとのための命令群を備え、
前記第１のインジケーションは、複数の帯域幅のおのおのの値を備え、
前記値は、その帯域幅について、別の装置による受信のためにサポートされているＭＣＳのうちの最高のＭＣＳを示す、コンピュータ読取可能な媒体。
【手続補正２】
【補正対象書類名】明細書
【補正対象項目名】００９３
【補正方法】変更
【補正の内容】
【００９３】
前述したものは、本開示の態様に向けられているが、これら開示のその他およびさらなる態様が、本願の基本的な範囲から逸脱することなく考案され、この範囲は、以下に示す特許請求の範囲によって決定される。
なお、以下に、出願当初の特許請求の範囲に記載された発明を付記する。
［Ｃ１］
無線通信のための方法であって、
対応する異なる数の空間ストリーム（ＳＳ）を受信するために、装置によってサポートされている複数の変調−符号化スキーム（ＭＣＳ）に関する第１のインジケーションを備えるフレームを、前記装置において構築することと、
前記フレームを送信することと、
を備える方法。
［Ｃ２］
前記フレームはさらに、受信のために前記装置によってサポートされている最高のデータ・レートに関する第２のインジケーションを備える、Ｃ１に記載の方法。
［Ｃ３］
前記フレームはさらに、前記装置がその送信ＭＣＳ能力を通知するか否かを指定するフィールド、対応する異なる数のＳＳを送信するために前記装置によってサポートされている複数のＭＣＳに関する第３のインジケーション、または、前記装置による送信のためにサポートされている最高のデータ・レートに関する第４のインジケーション、のうちの少なくとも１つを備える、Ｃ２に記載の方法。
［Ｃ４］
前記第１のインジケーションは、前記ＭＣＳのうちの最高のＭＣＳを示す値を備える、Ｃ１に記載の方法。
［Ｃ５］
前記値は、複数の帯域幅に関連付けられる、Ｃ４に記載の方法。
［Ｃ６］
前記第１のインジケーションは、複数の帯域幅のおのおのの値を備え、
前記値は、その帯域幅について、前記装置による受信のためにサポートされているＭＣＳのうちの最高のＭＣＳを示す、Ｃ１に記載の方法。
［Ｃ７］
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、Ｃ６に記載の方法。
［Ｃ８］
前記第２のインジケーションは、受信のために前記装置によってサポートされている最高のデータ・レートを、１秒あたりのメガ・ビットの単位で示すバイナリ値を備える、Ｃ２に記載の方法。
［Ｃ９］
前記第３のインジケーションは、前記装置による送信のためにサポートされているＭＣＳのうちの最高のＭＣＳを示す値を備える、Ｃ３に記載の方法。
［Ｃ１０］
前記値は、複数の帯域幅に関連付けられる、Ｃ９に記載の方法。
［Ｃ１１］
前記第３のインジケーションは、複数の帯域幅のおのおのの値を備え、
前記値は、その帯域幅について、前記装置による送信のためにサポートされているＭＣＳのうちの最高のＭＣＳを示す、Ｃ３に記載の方法。
［Ｃ１２］
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、Ｃ１１に記載の方法。
［Ｃ１３］
前記第４のインジケーションは、前記装置によって送信のためにサポートされている最高のデータ・レートを、１秒あたりのメガ・ビットの単位で示すバイナリ値を備える、Ｃ３に記載の方法。
［Ｃ１４］
前記フレームは、無線通信規格のＩＥＥＥ  ８０２．１１体系にしたがって送信される、Ｃ１に記載の方法。
［Ｃ１５］
前記第１のインジケーションが特定の値を備えている場合、前記第１のインジケーションは、対応する数のＳＳを受信するためのサポートを示さない、Ｃ１に記載の方法。
［Ｃ１６］
前記第１のインジケーションは、前記対応する異なる数のＳＳを受信するために、前記装置によってサポートされているＭＣＳのセットを示す値を備える、Ｃ１に記載の方法。
［Ｃ１７］
前記第３のインジケーションは、前記対応する異なる数のＳＳを送信するために、前記装置によってサポートされているＭＣＳのセットを示す値を備える、Ｃ３に記載の方法。
［Ｃ１８］
無線通信のための装置であって、
対応する異なる数の空間ストリーム（ＳＳ）を受信するために、前記装置によってサポートされている複数の変調−符号化スキーム（ＭＣＳ）に関する第１のインジケーションを備えるフレームを構築する手段と、
前記フレームを送信する手段と、
を備える装置。
［Ｃ１９］
前記フレームはさらに、受信のために前記装置によってサポートされている最高のデータ・レートに関する第２のインジケーションを備える、Ｃ１８に記載の装置。
［Ｃ２０］
前記フレームはさらに、前記装置がその送信ＭＣＳ能力を通知するか否かを指定するフィールド、対応する異なる数のＳＳを送信するために前記装置によってサポートされている複数のＭＣＳに関する第３のインジケーション、または、前記装置による送信のためにサポートされている最高のデータ・レートに関する第４のインジケーション、のうちの少なくとも１つを備える、Ｃ１９に記載の装置。
［Ｃ２１］
前記第１のインジケーションは、前記ＭＣＳのうちの最高のＭＣＳを示す値を備える、Ｃ１８に記載の装置。
［Ｃ２２］
前記値は、複数の帯域幅に関連付けられる、Ｃ２１に記載の装置。
［Ｃ２３］
前記第１のインジケーションは、複数の帯域幅のおのおのの値を備え、
前記値は、その帯域幅について、前記装置による受信のためにサポートされているＭＣＳのうちの最高のＭＣＳを示す、Ｃ１８に記載の装置。
［Ｃ２４］
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、Ｃ２３に記載の装置。
［Ｃ２５］
前記第２のインジケーションは、受信のために前記装置によってサポートされている最高のデータ・レートを、１秒あたりのメガ・ビットの単位で示すバイナリ値を備える、Ｃ１９に記載の装置。
［Ｃ２６］
前記第３のインジケーションは、前記装置による送信のためにサポートされているＭＣＳのうちの最高のＭＣＳを示す値を備える、Ｃ２０に記載の装置。
［Ｃ２７］
前記値は、複数の帯域幅に関連付けられる、Ｃ２６に記載の装置。
［Ｃ２８］
前記第３のインジケーションは、複数の帯域幅のおのおのの値を備え、
前記値は、その帯域幅について、前記装置による送信のためにサポートされているＭＣＳのうちの最高のＭＣＳを示す、Ｃ２０に記載の装置。
［Ｃ２９］
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、Ｃ２８に記載の装置。
［Ｃ３０］
前記第４のインジケーションは、前記装置によって送信のためにサポートされている最高のデータ・レートを、１秒あたりのメガ・ビットの単位で示すバイナリ値を備える、Ｃ２０に記載の装置。
［Ｃ３１］
前記フレームは、無線通信規格のＩＥＥＥ  ８０２．１１体系にしたがって送信される、Ｃ１８に記載の装置。
［Ｃ３２］
前記第１のインジケーションが特定の値を備えている場合、前記第１のインジケーションは、対応する数のＳＳを受信するためのサポートを示さない、Ｃ１８に記載の装置。
［Ｃ３３］
前記第１のインジケーションは、前記対応する異なる数のＳＳを受信するために、前記装置によってサポートされているＭＣＳのセットを示す値を備える、Ｃ１８に記載の装置。
［Ｃ３４］
前記第３のインジケーションは、前記対応する異なる数のＳＳを送信するために、前記装置によってサポートされているＭＣＳのセットを示す値を備える、Ｃ２０に記載の装置。
［Ｃ３５］
無線通信のための装置であって、
対応する異なる数の空間ストリーム（ＳＳ）を受信するために、前記装置によってサポートされている複数の変調−符号化スキーム（ＭＣＳ）に関する第１のインジケーションを備えるフレームを構築するように構成された回路と、
前記フレームを送信するように構成された送信機と、
を備える装置。
［Ｃ３６］
無線通信のために実行可能な命令群を含むコンピュータ読取可能な媒体であって、
前記実行可能な命令群は、
対応する異なる数の空間ストリーム（ＳＳ）を受信するために、装置によってサポートされている複数の変調−符号化スキーム（ＭＣＳ）に関する第１のインジケーションを備えるフレームを、前記装置において構築することと、
前記フレームを送信することと、
のための命令群を備える、コンピュータ読取可能な媒体。
［Ｃ３７］
無線通信のための方法であって、
対応する異なる数の空間ストリーム（ＳＳ）を受信するために、装置によってサポートされている複数の変調−符号化スキーム（ＭＣＳ）に関する第１のインジケーションを備えるフレームを、前記装置において構築することと、
前記フレームを送信することとを備え、
前記第１のインジケーションは、複数の帯域幅のおのおのの値を備え、
前記値は、その帯域幅について、前記装置による受信のためにサポートされているＭＣＳのうちの最高のＭＣＳを示す、方法。
［Ｃ３８］
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、Ｃ３７に記載の方法。
［Ｃ３９］
前記フレームはさらに、前記装置がその送信ＭＣＳ能力を通知するか否かを指定するフィールド、および、対応する異なる数のＳＳを送信するために前記装置によってサポートされている複数のＭＣＳに関する第２のインジケーションを備える、Ｃ３７に記載の方法。
［Ｃ４０］
前記第２のインジケーションは、複数の帯域幅のおのおのの値を備え、
前記値は、その帯域幅について、前記装置による送信のためにサポートされているＭＣＳのうちの最高のＭＣＳを示す、Ｃ３９に記載の方法。
［Ｃ４１］
前記フレームは、無線通信規格のＩＥＥＥ  ８０２．１１体系にしたがって送信される、Ｃ３７に記載の方法。
［Ｃ４２］
前記第１のインジケーションが特定の値を備えている場合、前記第１のインジケーションは、対応する数のＳＳを受信するためのサポートを示さない、Ｃ３７に記載の方法。
［Ｃ４３］
無線通信のための装置であって、
対応する異なる数の空間ストリーム（ＳＳ）を受信するために、前記装置によってサポートされている複数の変調−符号化スキーム（ＭＣＳ）に関する第１のインジケーションを備えるフレームを構築する手段と、
前記フレームを送信する手段とを備え、
前記第１のインジケーションは、複数の帯域幅のおのおのの値を備え、
前記値は、その帯域幅について、前記装置による受信のためにサポートされているＭＣＳのうちの最高のＭＣＳを示す、装置。
［Ｃ４４］
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、Ｃ４３に記載の装置。
［Ｃ４５］
前記フレームはさらに、前記装置がその送信ＭＣＳ能力を通知するか否かを指定するフィールド、および、対応する異なる数のＳＳを送信するために前記装置によってサポートされている複数のＭＣＳに関する第２のインジケーションを備える、Ｃ４３に記載の装置。
［Ｃ４６］
前記第２のインジケーションは、複数の帯域幅のおのおのの値を備え、
前記値は、その帯域幅について、前記装置による送信のためにサポートされているＭＣＳのうちの最高のＭＣＳを示す、Ｃ４５に記載の装置。
［Ｃ４７］
前記フレームは、無線通信規格のＩＥＥＥ  ８０２．１１体系にしたがって送信される、Ｃ４３に記載の装置。
［Ｃ４８］
前記第１のインジケーションが特定の値を備えている場合、前記第１のインジケーションは、対応する数のＳＳを受信するためのサポートを示さない、Ｃ４３に記載の装置。
［Ｃ４９］
無線通信のための装置であって、
対応する異なる数の空間ストリーム（ＳＳ）を受信するために、前記装置によってサポートされている複数の変調−符号化スキーム（ＭＣＳ）に関する第１のインジケーションを備えるフレームを構築するように構成された回路と、
前記フレームを送信するように構成された送信機とを備え、
前記第１のインジケーションは、複数の帯域幅のおのおのの値を備え、
前記値は、その帯域幅について、前記装置による受信のためにサポートされているＭＣＳのうちの最高のＭＣＳを示す、装置。
［Ｃ５０］
無線通信のために実行可能な命令群を含むコンピュータ読取可能な媒体であって、
前記実行可能な命令群は、
対応する異なる数の空間ストリーム（ＳＳ）を受信するために、装置によってサポートされている複数の変調−符号化スキーム（ＭＣＳ）に関する第１のインジケーションを備えるフレームを、前記装置において構築することと、
前記フレームを送信することと
のための命令群を備え、
前記第１のインジケーションは、複数の帯域幅のおのおのの値を備え、
前記値は、その帯域幅について、前記装置による受信のためにサポートされているＭＣＳのうちの最高のＭＣＳを示す、コンピュータ読取可能な媒体。
［Ｃ５１］
無線通信のための方法であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することと、
を備える方法。
［Ｃ５２］
前記レートにしたがって、別の装置へデータを送信すること、をさらに備えるＣ５１に記載の方法。
［Ｃ５３］
前記フレームはさらに、受信のために別の装置によってサポートされている最高のデータ・レートに関する第２のインジケーションを備える、Ｃ５１に記載の方法。
［Ｃ５４］
前記フレームはさらに、別の装置がその送信ＭＣＳ能力を通知するか否かを指定するフィールド、対応する異なる数のＳＳを送信するために別の装置によってサポートされている複数のＭＣＳに関する第３のインジケーション、または、別の装置による送信のためにサポートされている最高のデータ・レートに関する第４のインジケーション、のうちの少なくとも１つを備える、Ｃ５３に記載の方法。
［Ｃ５５］
前記第３のインジケーションに少なくとも部分的に基づいて、別の装置および１または複数の装置から、通信している装置を選択すること、をさらに備えるＣ５４に記載の方法。
［Ｃ５６］
前記選択された通信している装置からデータを受信すること、をさらに備えるＣ５５に記載の方法。
［Ｃ５７］
前記選択された通信している装置は、別の装置および１または複数の装置のうち、最高の利用可能な送信電力を有する、Ｃ５５に記載の方法。
［Ｃ５８］
前記選択された通信している装置は、別の装置および１または複数の装置のうち、装置の受信能力に最も相応する送信能力を備える、Ｃ５５に記載の方法。
［Ｃ５９］
前記フィールドが特定の値に設定されている場合に、前記第３のインジケーションを無視すること、をさらに備えるＣ５４に記載の方法。
［Ｃ６０］
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信する手段と、
前記第１のインジケーションに少なくとも部分的に基づいて、別の装置への通信のためのレートを選択する手段と、
を備える装置。
［Ｃ６１］
前記レートにしたがって、別の装置にデータを送信する手段、をさらに備えるＣ６０に記載の装置。
［Ｃ６２］
前記フレームはさらに、受信のために別の装置によってサポートされている最高のデータ・レートに関する第２のインジケーションを備える、Ｃ６０に記載の装置。
［Ｃ６３］
前記フレームはさらに、別の装置がその送信ＭＣＳ能力を通知するか否かを指定するフィールド、対応する異なる数のＳＳを送信するために別の装置によってサポートされている複数のＭＣＳに関する第３のインジケーション、または、別の装置による送信のためにサポートされている最高のデータ・レートに関する第４のインジケーション、のうちの少なくとも１つを備える、Ｃ６２に記載の装置。
［Ｃ６４］
前記第３のインジケーションに少なくとも部分的に基づいて、別の装置および１または複数の装置から、通信している装置を選択する手段、をさらに備えるＣ６３に記載の装置。
［Ｃ６５］
前記受信する手段はさらに、前記選択された通信している装置から、データを受信するように構成された、Ｃ６４に記載の装置。
［Ｃ６６］
前記選択された通信している装置は、別の装置および１または複数の装置のうち、最高の利用可能な送信電力を有する、Ｃ６４に記載の装置。
［Ｃ６７］
前記選択された通信している装置は、別の装置および１または複数の装置のうち、前記装置の受信能力に最も相応する送信能力を備える、Ｃ６４に記載の装置。
［Ｃ６８］
前記フィールドが特定の値に設定されている場合に、前記第３のインジケーションを無視する手段、をさらに備えるＣ６３に記載の装置。
［Ｃ６９］
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信するように構成された受信機と、
前記第１のインジケーションに少なくとも部分的に基づいて、別の装置への通信のためのレートを選択するように構成された回路と、
を備える装置。
［Ｃ７０］
無線通信のために実行可能な命令群を含むコンピュータ読取可能な媒体であって、
前記実行可能な命令群は、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することと
のための命令群を備える、コンピュータ読取可能な媒体。
［Ｃ７１］
無線通信のための方法であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することとを備え、
前記第１のインジケーションは、複数の帯域幅のおのおのの値を備え、
前記値は、その帯域幅について、別の装置による受信のためにサポートされているＭＣＳのうちの最高のＭＣＳを示す、方法。
［Ｃ７２］
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、Ｃ７１に記載の方法。
［Ｃ７３］
前記レートにしたがって、別の装置にデータを送信すること、をさらに備えるＣ７１に記載の方法。
［Ｃ７４］
前記フレームはさらに、別の装置がその送信ＭＣＳ能力を通知するか否かを指定するフィールド、または、対応する異なる数のＳＳを送信するために別の装置によってサポートされている複数のＭＣＳに関する第２のインジケーションのうちの少なくとも１つを備える、Ｃ７１に記載の方法。
［Ｃ７５］
前記第２のインジケーションに少なくとも部分的に基づいて、別の装置および１または複数の装置から、通信している装置を選択すること、をさらに備えるＣ７４に記載の方法。
［Ｃ７６］
前記選択された通信している装置から、データを受信すること、をさらに備えるＣ７５に記載の方法。
［Ｃ７７］
前記選択された通信している装置は、別の装置および１または複数の装置のうち、最高の利用可能な送信電力を有する、Ｃ７５に記載の方法。
［Ｃ７８］
前記選択された通信している装置は、別の装置および１または複数の装置のうち、前記装置の受信能力に最も相応する送信能力を備える、Ｃ７５に記載の方法。
［Ｃ７９］
前記フィールドが特定の値に設定されている場合に、前記第２のインジケーションを無視すること、をさらに備えるＣ７４に記載の方法。
［Ｃ８０］
前記第２のインジケーションは、複数の帯域幅のおのおのの値を備え、
前記値は、その帯域幅について、別の装置による送信のためにサポートされているＭＣＳのうちの最高のＭＣＳを示す、Ｃ７４に記載の方法。
［Ｃ８１］
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信する手段と、
前記第１のインジケーションに少なくとも部分的に基づいて、別の装置への通信のためのレートを選択する手段とを備え、
前記第１のインジケーションは、複数の帯域幅のおのおのの値を備え、
前記値は、その帯域幅について、別の装置による受信のためにサポートされているＭＣＳのうちの最高のＭＣＳを示す、装置。
［Ｃ８２］
前記複数の帯域幅は、２０ＭＨｚの帯域幅、４０ＭＨｚの帯域幅、８０ＭＨｚの帯域幅、または１６０ＭＨｚの帯域幅のうちの少なくとも１つを備える、Ｃ８１に記載の装置。
［Ｃ８３］
前記レートにしたがって、別の装置にデータを送信する手段、をさらに備えるＣ８１に記載の装置。
［Ｃ８４］
前記フレームはさらに、別の装置がその送信ＭＣＳ能力を通知するか否かを指定するフィールド、または、対応する異なる数のＳＳを送信するために別の装置によってサポートされている複数のＭＣＳに関する第２のインジケーションのうちの少なくとも１つを備える、Ｃ８１に記載の装置。
［Ｃ８５］
前記第２のインジケーションに少なくとも部分的に基づいて、別の装置および１または複数の装置から、通信している装置を選択する手段、をさらに備えるＣ８４に記載の装置。
［Ｃ８６］
前記受信する手段はさらに、前記選択された通信している装置から、データを受信するように構成された、Ｃ８５に記載の装置。
［Ｃ８７］
前記選択された通信している装置は、別の装置および１または複数の装置のうち、最高の利用可能な送信電力を有する、Ｃ８５に記載の装置。
［Ｃ８８］
前記選択された通信している装置は、別の装置および１または複数の装置のうち、前記装置の受信能力に最も相応する送信能力を備える、Ｃ８５に記載の装置。
［Ｃ８９］
前記フィールドが特定の値に設定されている場合に、前記第２のインジケーションを無視する手段、をさらに備えるＣ８４に記載の装置。
［Ｃ９０］
前記第２のインジケーションは、複数の帯域幅のおのおのの値を備え、
前記値は、その帯域幅について、別の装置による送信のためにサポートされているＭＣＳのうちの最高のＭＣＳを示す、Ｃ８４に記載の装置。
［Ｃ９１］
無線通信のための装置であって、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から受信するように構成された受信機と、
前記第１のインジケーションに少なくとも部分的に基づいて、別の装置への通信のためのレートを選択するように構成された回路とを備え、
前記第１のインジケーションは、複数の帯域幅のおのおのの値を備え、
前記値は、その帯域幅について、別の装置による受信のためにサポートされているＭＣＳのうちの最高のＭＣＳを示す、装置。
［Ｃ９２］
無線通信のために実行可能な命令群を含むコンピュータ読取可能な媒体であって、
前記実行可能な命令群は、
対応する異なる数の空間ストリーム（ＳＳ）を受信するために、別の装置によってサポートされている複数の変調−符号化スキーム（ＭＣＳ）に関する第１のインジケーションを備えるフレームを、別の装置から、装置において受信することと、
前記第１のインジケーションに少なくとも部分的に基づいて、別の装置への通信のためのレートを選択することとのための命令群を備え、
前記第１のインジケーションは、複数の帯域幅のおのおのの値を備え、
前記値は、その帯域幅について、別の装置による受信のためにサポートされているＭＣＳのうちの最高のＭＣＳを示す、コンピュータ読取可能な媒体。
【外国語明細書】
2015008504000001.pdf